(57)【要約】【課題】撮像ボケに起因する画質劣化をより適切に改善することが可能な映像信号処理装置を提供する。【解決手段】撮像ボケ抑制処理部２において、各フレーム期間において各画素値を順次補正していくと共に、注目画素ｎにおける補正の際に、現在のフレーム期間の入力映像内で補正済みの画素（補正済画素）における補正結果を利用して補正処理を行う。これにより、このような補正処理を、空間方向におけるＩＩＲフィルタ処理として機能させることができる。よって、従来よりも高い空間周波数成分を含む入力映像信号においても撮像ボケを抑制することができ、撮像ボケに起因する画質劣化をより適切に改善する（鮮明が画像を得る）ことが可能となる。【選択図】図２
2010268225.tif 000002
【特許請求の範囲】
【請求項１】
撮像装置における撮像動作より得られた入力映像信号において、所定の単位期間ごとに、前記撮像動作の際に生ずる撮像ボケの特性を示す特性値を検出する検出部と、
前記特性値を用いて、前記入力映像信号により構成される入力映像の各画素値を前記単位期間ごとに補正することにより、前記入力映像信号に含まれる前記撮像ボケの抑制処理を行い、出力映像信号を生成する補正部と
を備え、
前記補正部は、各単位期間において各画素値を順次補正していくと共に、注目画素における補正の際に、現在の単位期間の入力映像内で補正済みの画素である補正済画素における補正結果を利用して、補正処理を行う
映像信号処理装置。
【請求項２】
前記補正部は、前記特性値と、現在の単位期間の入力映像内において前記注目画素から前記特性値の分だけ離れて位置する前記補正済画素での補正結果と、前記注目画素における前記順次補正方向の画素微分値とを用いて、前記注目画素における補正値を求める
請求項１に記載の映像信号処理装置。
【請求項３】
前記補正部は、前記補正済画素における補正値と元の画素値との差分値に対応する信頼性情報を用いて、前記注目画素における補正処理の大きさを制御する
請求項２に記載の映像信号処理装置。
【請求項４】
前記補正部は、互いに異なる複数の補正済画素における前記信頼性情報を混合することにより、最終的な信頼性情報を求める
請求項３に記載の映像信号処理装置。
【請求項５】
前記補正部は、前記補正済画素における補正結果を互いに異なる複数の補正済画素において取得すると共に、これら複数の補正結果のそれぞれを利用して得られた複数の補正値を混合することにより、前記注目画素における最終的な補正値を求める
請求項１ないし請求項４のいずれか１項に記載の映像信号処理装置。
【請求項６】
前記補正部は、前記補正済画素における補正値と元の画素値との差分値に対応する信頼性情報の値の比率に応じて、前記複数の補正値を混合する
請求項５に記載の映像信号処理装置。
【請求項７】
撮像装置における撮像動作より得られた入力映像信号において、所定の単位期間ごとに、前記撮像動作の際に生ずる撮像ボケの特性を示す特性値を検出する検出部と、
前記特性値を用いて、前記入力映像信号により構成される入力映像の各画素値を前記単位期間ごとに補正することにより、前記入力映像信号に含まれる前記撮像ボケの抑制処理を行い、出力映像信号を生成する補正部と、
前記出力映像信号に基づいて映像表示を行う表示部と
を備え、
前記補正部は、各単位期間において各画素値を順次補正していくと共に、注目画素における補正の際に、現在の単位期間の入力映像内で補正済みの画素である補正済画素における補正結果を利用して、補正処理を行う
表示装置。
【発明の詳細な説明】
【技術分野】
【０００１】
本発明は、映像信号に含まれる撮像ボケに起因する画質劣化を改善するための処理を行う映像信号処理装置、およびそのような映像信号処理装置を備えた表示装置に関する。
【背景技術】
【０００２】
近年、映像（動画像）を表示するための映像信号処理装置において、入力側のテレビジョン方式と出力側のテレビジョン方式との間でフレームもしくはフィールド周波数が一定の同期関係がない場合でも、映像の品質を劣化させずに表示させる手法が提案されている。具体的には、フレームレートを調整する手法（フレームレート変換手法）が提案されている（例えば、特許文献１参照）。
【０００３】
しかしながら、この特許文献１等の従来のフレームレート変換手法を利用してフレームレートを増やす場合、撮影時（撮像動作時）に発生する動きボケ（撮像ボケ）についての考慮がなされていなかった。このため、撮像ボケに起因する画像劣化（ボケ画像）は特に改善されずにそのまま残り、その結果、鮮明な映像を表示装置に表示させることが困難になるという問題があった。
【０００４】
そこで、例えば特許文献２には、このような問題に対する改善技術が提案されている。
【先行技術文献】
【特許文献】
【０００５】
【特許文献１】特開２００６−６６９８７号公報
【特許文献２】特開２００６−８１１５０号公報
【発明の概要】
【発明が解決しようとする課題】
【０００６】
上記特許文献２における映像信号処理装置では、フィルタ特性変換手段により特性が変換されたローパスフィルタ（ＬＰＦ）をかけ、その結果得られる注目画素の補正された画素値を第１の値として出力するフィルタリング手段が設けられている。また、注目画素の補正の画素値と、フィルタリング手段から出力された第１の値との差分を演算し、その結果得られる差分値を第２の値として出力する減算手段が設けられている。さらに、この減算手段から出力された第２の値を、注目画素の補正前の画素値に加算し、その結果得られる加算値を注目画素の補正後の画素値として出力する加算手段が設けられている。
【０００７】
つまり、この特許文献２の手法は、移動量幅のタップ数によるいわゆるＦＩＲ（Finite Impulse Response；有限インパルス応答）フィルタの構成となっているため、撮像ボケを改善するためのフィルタとしては十分ではなかった。特に、移動量をサンプリング周波数とした場合に、例えばその１／２以上の空間周波数に対しての効果が十分ではなく、改善の余地があった。
【０００８】
本発明はかかる問題点に鑑みてなされたもので、その目的は、撮像ボケに起因する画質劣化をより適切に改善することが可能な映像信号処理装置および表示装置を提供することにある。
【課題を解決するための手段】
【０００９】
本発明の映像信号処理装置は、撮像装置における撮像動作より得られた入力映像信号において、所定の単位期間ごとに、撮像動作の際に生ずる撮像ボケの特性を示す特性値を検出する検出部と、上記特性値を用いて、入力映像信号により構成される入力映像の各画素値を単位期間ごとに補正することにより、入力映像信号に含まれる撮像ボケの抑制処理を行い、出力映像信号を生成する補正部とを備えたものである。また、この補正部は、各単位期間において各画素値を順次補正していくと共に、注目画素における補正の際に、現在の単位期間の入力映像内で補正済みの画素である補正済画素における補正結果を利用して補正処理を行うようになっている。
【００１０】
本発明の表示装置は、上記本発明の映像信号処理装置と、この映像信号処理装置により生成される出力映像信号に基づいて映像表示を行う表示部とを備えたものである。
【００１１】
本発明の映像信号処理装置および表示装置では、上記入力映像信号において所定の単位期間ごとに、撮像動作の際に生ずる撮像ボケの特性を示す特性値が検出され、この特性値を用いて入力映像の各画素値が単位期間ごとに補正されることにより、入力映像信号に含まれる撮像ボケの抑制処理がなされ、出力映像信号が生成される。このとき、各単位期間において各画素値が順次補正されていくと共に、注目画素における補正の際に、現在の単位期間の入力映像内で補正済みの画素である補正済画素における補正結果を利用して、補正処理が行われる。これにより、このような補正処理が、空間方向におけるいわゆるＩＩＲ（Infinite Impulse Response；無限インパルス応答）フィルタ処理として機能するようになる。
【００１２】
なお、他の映像信号処理装置として、上記検出部と、上記特性値を用いて、入力映像信号により構成される入力映像の各画素値を単位期間ごとに補正することにより、入力映像信号に含まれる撮像ボケの抑制処理を行い、出力映像信号を生成する補正部とを備えると共に、この補正部が、各単位期間における注目画素の補正の際に、その直前の単位期間において補正済みの同一画素である補正済画素における補正結果を利用して補正処理を行うようにしたものが挙げられる。この他の映像信号処理装置では、各単位期間における注目画素の補正の際に、その直前の単位期間において補正済みの同一画素である補正済画素における補正結果を利用して、補正処理が行われる。これにより、このような補正処理が、時間方向におけるＩＩＲフィルタ処理として機能するようになる。よって、従来よりも高い空間周波数成分を含む入力映像信号においても撮像ボケを抑制することができ、撮像ボケに起因する画質劣化をより適切に改善することが可能となる。
【発明の効果】
【００１３】
本発明の映像信号処理装置および表示装置によれば、各単位期間において各画素値を順次補正していくと共に、注目画素における補正の際に、現在の単位期間の入力映像内で補正済みの画素である補正済画素における補正結果を利用して補正処理を行うようにしたので、このような補正処理を、空間方向におけるＩＩＲフィルタ処理として機能させることができる。よって、従来よりも高い空間周波数成分を含む入力映像信号においても撮像ボケを抑制することができ、撮像ボケに起因する画質劣化をより適切に改善することが可能となる。
【図面の簡単な説明】
【００１４】
【図１】本発明の第１の実施の形態に係る表示装置の全体構成を表すブロック図である。
【図２】図１に示した撮像ボケ抑制処理部の詳細構成を表すブロック図である。
【図３】図２に示した予測値生成部の詳細構成を表すブロック図である。
【図４】図２に示した補正量算出部の詳細構成を表すブロック図である。
【図５】更新係数とフレームナンバーとの関係の一例を表す特性図である。
【図６】図２に示した補正値遅延部の詳細構成を表すブロック図である。
【図７】第１の実施の形態の変形例（変形例１）に係る撮像ボケ抑制処理部の詳細構成を表すブロック図である。
【図８】変形例１に係るステップ画像における撮像ボケと予測値との位相関係の一例を表す波形図である。
【図９】変形例１に係る補正値（予測値）の混合比率の一例を表す特性図である。
【図１０】第１の実施の形態の他の変形例（変形例２）に係る撮像ボケ抑制処理部の詳細構成を表すブロック図である。
【図１１】図１０に示した予測値生成部の詳細構成を表すブロック図である。
【図１２】図１０に示した補正量算出部の詳細構成を表すブロック図である。
【図１３】変形例２に係る信頼性情報の混合比率の一例を表す特性図である。
【図１４】本発明の第２の実施の形態に係る撮像ボケ抑制処理部の詳細構成を表すブロック図である。
【図１５】図１４に示した予測値生成部の詳細構成を表すブロック図である。
【図１６】図１４に示した補正量算出部の詳細構成を表すブロック図である。
【図１７】図１４に示した補正値遅延部の詳細構成を表すブロック図である。
【図１８】第２の実施の形態の変形例（変形例３）に係る撮像ボケ抑制処理部の詳細構成を表すブロック図である。
【図１９】変形例３に係るステップ画像における撮像ボケと予測値との位相関係の一例を表す波形図である。
【図２０】図１８に示した予測値生成部の一方の詳細構成を表すブロック図である。
【図２１】図１８に示した予測値生成部の他方の詳細構成を表すブロック図である。
【図２２】図１８に示した補正量算出部の詳細構成を表すブロック図である。
【図２３】変形例３に係る補正値（予測値）の混合比率の一例を表す特性図である。
【図２４】変形例３に係る信頼性情報の混合比率の一例を表す特性図である。
【図２５】図１８に示した補正値位相変換部の詳細構成を表すブロック図である。
【図２６】第２の実施の形態の他の変形例（変形例４）に係る撮像ボケ抑制処理部の詳細構成を表すブロック図である。
【図２７】図２６に示した高フレームレート変換部の詳細構成を表すブロック図である。
【図２８】第２の実施の形態の他の変形例（変形例５）に係る撮像ボケ抑制処理部の詳細構成を表すブロック図である。
【図２９】図２８に示した補正量算出ＩＰ変換部の詳細構成を表すブロック図である。
【図３０】本発明が適用される映像信号処理装置の全部または一部分のハードウェア構成の一例を表すブロック図である。
【発明を実施するための形態】
【００１５】
以下、本発明の実施の形態について、図面を参照して詳細に説明する。なお、説明は以下の順序で行う。
１．第１の実施の形態（フレーム内処理による撮像ボケ抑制処理の例）
変形例１（フレーム内の２方向において求められた補正値を混合する場合の例）
変形例２（複数の予測値を用いて補正値を求める場合の例）
２．第２の実施の形態（フレーム間処理による撮像ボケ抑制処理の例）
変形例３（前後のフレームからの予測値を用いて補正値を求める場合の例）
変形例４（高フレームレート変換処理と一体化した場合の例）
変形例５（ＩＰ変換部と一体化した場合の例）
【００１６】
＜１．第１の実施の形態＞
［表示装置１の全体構成］
図１は、本発明の第１の実施の形態に係る表示装置１のブロック構成を表すものである。この表示装置１は、ＩＰ（Interlace Progressive）変換部１１と、動きベクトル検出部１２（検出部）と、撮像ボケ抑制処理部２（補正部）と、高フレームレート変換部１３と、表示駆動部１４と、表示パネル１５とを備えている。なお、動きベクトル検出部１２および撮像ボケ抑制処理部２が、本発明における「映像信号処理装置」の一具体例に対応する。
【００１７】
ＩＰ変換部１１は、撮像装置（図示せず）における撮像動作より得られた入力映像信号Ｄin（インタレース信号）に対してＩＰ変換を行うことにより、プログレッシブ信号からなる映像信号Ｄ１を生成するものである。
【００１８】
動きベクトル検出部１２は、ＩＰ変換部１１から出力される映像信号Ｄ１において、各フレーム期間（単位期間）ごとに、上記撮像動作の際に生ずる撮像ボケの特性を示す特性値を検出するものである。このような特性値の一例として、本実施の形態では動きベクトルｍｖを用いている。
【００１９】
なお、以下、動きベクトルｍｖの値を移動速度（移動量）と称し、また、動きベクトルｍｖの方向を移動方向と称する。この移動方向は、２次元平面上のいずれの方向ともなり得るものであり、表示装置１では、２次元平面上のいずれの方向が移動方向になった場合でも、後述する各種処理を全く同様に実行することが可能である。
【００２０】
撮像ボケ抑制処理部２は、動きベクトル検出部１２において検出された動きベクトルｍｖを用いて、映像信号Ｄ１により構成される入力映像の各画素値をフレーム期間ごとに補正することにより、この映像信号Ｄ１に含まれる撮像ボケの抑制処理を行うものである。これにより、そのような補正処理後（撮像ボケ抑制処理後）の映像信号Ｄ２が生成されるようになっている。具体的には、撮像ボケ抑制処理部２は、各フレーム期間において各画素値を順次補正していくと共に、注目画素における補正の際に、現在のフレーム期間の入力映像内で補正済みの画素における補正結果を利用して、補正処理を行うようになっている。なお、この撮像ボケ抑制処理部２の詳細構成および詳細動作については、後述する。
【００２１】
高フレームレート変換部１３は、撮像ボケ抑制処理部２から出力される映像信号Ｄ２に対して高フレームレート変換処理を行い、映像信号Ｄ３を生成・出力するものである。具体的には、第１のフレームレートの映像信号Ｄ２に対して高フレームレート変換処理を施し、この第１のフレームレートよりも高い第２のフレームレートの映像信号Ｄ３を、表示駆動部１４へ出力するようになっている。この高フレームレート変換処理とは、入力時の第１のフレームレートが出力（表示）時の第２のフレームレートよりも低い場合に実行される処理である。具体的には、入力時の動画像を構成する各フレームのそれぞれの間に、新たなフレームを作成してそれぞれ挿入することにより、第１のフレームレートをそれよりも高い第２のフレームレートに変換する処理である。
【００２２】
なお、第１のフレームレートとは、高フレームレート変換部１３に入力された時点の動画像のフレームレートを指す。したがって、第１のフレームレートは、任意のフレームレートとなり得るが、ここでは例えば、図示しない撮影装置により動画像が撮影されたときのフレームレート、すなわち、撮像フレームレートであるものとする。
【００２３】
表示駆動部１４は、高フレームレート変換部１３から出力される映像信号Ｄ３に基づいて、表示パネル１５に対する表示駆動動作を行うものである。
【００２４】
表示パネル１５は、表示駆動部１４による表示駆動動作に従って、映像信号Ｄ３に基づく映像表示を行うものである。このような表示パネル１５としては、例えば、ＬＣＤ（Liquid Crystal Display）やＰＤＰ（Plasma Display Panel）、有機ＥＬ（Electro Luminescence）ディスプレイなどの各種のディスプレイを用いることができる。
【００２５】
［撮像ボケ抑制処理部２の詳細構成］
次に、図２〜図６を参照して、撮像ボケ抑制処理部２の詳細について説明する。図２は、この撮像ボケ抑制処理部２の詳細構成を表すものである。撮像ボケ抑制処理部２は、予測値生成部２１と、補正量算出部２２と、補正値遅延部２３とを有している。
【００２６】
（予測値生成部２１）
予測値生成部２１は、動きベクトルｍｖと、映像信号Ｄ１（後述する画素データＩＢ（ｎ）；ｎは注目画素を示す）と、後述する補正値遅延部２３から出力される予測値Ｅｓｔ（ｎ−ｍｖ）とに基づいて、注目画素ｎでの補正値の予測値Ｅｓｔ（ｎ）を求めるものである。
【００２７】
図３は、この予測値生成部２１の詳細構成を表すものである。予測値生成部２１は、ｍｖ／２遅延素子２１１と、微分回路２１２と、乗算器２１３と、加算器２１４とを有している。
【００２８】
ｍｖ／２遅延素子２１１は、画像データＩＢ（ｎ）と動きベクトルｍｖとに基づいて、ｍｖ／２の値に対応する画素分だけ遅延させた画素位置に対応する画像データＩＢ（ｎ−ｍｖ／２）を生成するものである。
【００２９】
微分回路２１２は、ｍｖ／２遅延素子２１１から出力される画像データＩＢ（ｎ−ｍｖ／２）に基づいて、以下説明する所定の微分演算を行うことにより、順次補正方向の画素微分値ＩＢ'（ｎ−ｍｖ／２）を生成するものである。
【００３０】
ここで、まず、撮像ボケを表すモデルとして、オープンシャッタで撮られた動画像の画素位置（注目画素）をｎ、時刻ｔ０における撮像ボケを含む画像データをＩＢ（ｎ，ｔ０）、Ｔを撮像時のフレーム期間、Ｉreal（ｎ，ｔ）を撮像ボケのない理想値とする。すると、この画像データＩＢ（ｎ，ｔ０）は、以下の（１）式で表すことができる。また、注目画素ｎを含む画像の少なくとも一部が等速度で平行移動していると仮定すると、（２）式で表すことができる。ここで、ｍｖは、１フレーム当りの動きベクトルを示す。この（２）式より、動きベクトルｍｖ方向の隣接差分をとることにより、撮像ボケを含む画像データＩＢ（ｎ）の動きベクトルｍｖ方向の画素微分値ＩＢ'（ｎ）は、以下の（３）式で表すことができる。
【００３１】
【数１】
2010268225.tif 000003
【００３２】
乗算器２１３は、微分回路２１２から出力される画素微分値ＩＢ'（ｎ−ｍｖ／２）と、動きベクトルｍｖとを乗算するものである。加算器２１４は、この乗算器２１３での乗算値のマイナス（−）値と、予測値Ｅｓｔ（ｎ−ｍｖ）とを加算することにより、予測値Ｅｓｔ（ｎ）を生成するものである。
【００３３】
ここで、具体的には、これらの演算は、以下の式により表すことができる。まず、上記（３）式を書き換えると、以下の（４）式が得られる。また、この（４）式により、撮像ボケのない画像（画像データの推定値；予測値Ｅｓｔ（ｎ））は、注目画素ｎから動きベクトルｍｖの分だけ離れた位置における画素が撮像ボケのないものである場合には、以下の（５），（６）式により求めることができる。また、これらの（５），（６）式に位相補正項を加えると、以下の（７），（８）式が得られる。なお、これらの（７），（８）式の関係は、動きベクトルｍｖの極性を互いに入れ替えた関係にすぎない。つまり、動きベクトルｍｖの方向と処理の方向とをあえて意識せずに、動きベクトルｍｖの絶対値分だけ離れた画素位置における予測値を用いて、注目画素ｎの補正処理を行えばよい。
【００３４】
【数２】
2010268225.tif 000004
【００３５】
（補正量算出部２２）
補正量算出部２２は、動きベクトルｍｖと、映像信号Ｄ１（画素データＩＢ（ｎ））と、予測値生成部２１から出力される予測値Ｅｓｔ（ｎ）と、後述する補正値遅延部２３から出力される信頼性情報Ｔｒｓｔ（ｎ−ｍｖ）とに基づいて、補正量を求めるものである。具体的には、信頼性情報Ｔｒｓｔ（ｎ）および予測値Ｅｓｔ（ｎ）を補正値遅延部２３へ出力すると共に、映像信号Ｄ２（出力画素データＯｕｔ（ｎ））を出力するようになっている。
【００３６】
図４は、この補正量算出部２２の詳細構成を表すものである。補正量算出部２２は、ｍｖ／２遅延素子２２１と、補正値生成部２２２と、信頼性情報算出部２２３とを有している。
【００３７】
ｍｖ／２遅延素子２２１は、画像データＩＢ（ｎ）と動きベクトルｍｖとに基づいて、ｍｖ／２の値に対応する画素分だけ遅延させた画素位置に対応する画像データＩＢ（ｎ−ｍｖ／２）を生成するものである。
【００３８】
補正値生成部２２２は、画像データＩＢ（ｎ）と、予測値Ｅｓｔ（ｎ）と、信頼性情報Ｔｒｓｔ（ｎ−ｍｖ）とに基づいて、以下の（９）式を用いることにより、予測値Ｅｓｔ（ｎ）および映像信号Ｄ２（出力画素データＯｕｔ（ｎ））を生成するものである。この（９）式により表される演算処理は、いわゆるＩＩＲフィルタの構成となっている。なお、この（９）式において、αは更新係数であり、０から１の値を取りうると共に、この更新係数αの値は適応的に変えるべきものである。また、（９）式により、この更新係数αを用いて、注目画素ｎにおける補正処理の大きさが制御されていることが分かる。
【００３９】
信頼性情報算出部２２３は、ｍｖ／２遅延素子２２１から出力される画像データＩＢ（ｎ−ｍｖ／２）と、予測値Ｅｓｔ（ｎ）とに基づいて、以下の（１０），（１１）式を用いることにより、信頼性情報Ｔｒｓｔ（ｎ）を生成するものである。
【００４０】
具体的には、この信頼性情報Ｔｒｓｔ（ｎ）は以下のようにして求められる。まず、予測値Ｅｓｔ（ｎ）の確からしさは、注目画素ｎから動きベクトルｍｖの分だけ離れた画素位置での補正処理結果に依存する。このため、この動きベクトルｍｖの分だけ離れた画素位置における、補正処理結果（補正値）と、撮像ボケを含む元の画素値との差分値が小さいほど、確からしさが大きいと考えられる。したがって、この予測値Ｅｓｔ（ｎ）の確からしさは、例えば、動きベクトルｍｖの分だけ離れた画素位置での補正量をΔとすると、信頼性情報Ｔｒｓｔ（ｎ）を、この補正量Δの関数Ｆ（Δ）で表すことができ、これを上記した更新係数αとすることができる。よって、注目画素ｎが増加する方向に補正処理を進めるとすると、信頼性情報Ｔｒｓｔ（ｎ）（＝α（ｎ））は、以下の（１０），（１１）式により表される。なお、この関数Ｆ（Δ）は、補正量Δに関して単調に減少する関数で表され、例えば（１−Δ）である。
【００４１】
【数３】
2010268225.tif 000005
【００４２】
また、信頼性情報Ｔｒｓｔ（ｎ−ｍｖ）の値が大きい（高い）場合には、補正処理結果としての予測値Ｅｓｔ（ｎ）の確からしさも高くなるため、信頼性情報Ｔｒｓｔ（ｎ）については、信頼性情報Ｔｒｓｔ（ｎ−ｍｖ）と同等の確からしさを設定することができる。すなわち、以下の（１２），（１３）式で表すことができる。
【００４３】
【数４】
2010268225.tif 000006
【００４４】
更に、更新係数αがフレームごとに大きく変動した場合、動画像においてチラつきとして認識されることがある。したがって、これを軽減するために、所定の２つの定数ｋ１，ｋ２を設定して、以下の（１４），（１５）式で表すこともできる。
【００４５】
【数５】
2010268225.tif 000007
【００４６】
なお、図５は一例として、フレームナンバー（Ｎｏ）に対しての関数Ｆ（Δ）の変動と、上記（１４），（１５）式においてｋ１＝０．９５，ｋ２＝０．５０の場合における信頼性情報Ｔｒｓｔ（ｎ）の変動を示している。
【００４７】
加えて、ノイズを含む画像では、信頼性情報Ｔｒｓｔ（ｎ）にも影響を与える。したがって、フレーム期間内の周辺画素とで適当なＬＰＦ処理を施すことも有効である。さらに、ノイズ成分によって補正量Δが大きくなり、必要以上に信頼性情報Ｔｒｓｔ（ｎ）の値を小さく見積もってしまう可能性がある。そのため、ノイズ成分を検出し、ノイズ成分に応じて補正量Δの値をゲイン制御するようにしてもよい。
【００４８】
（補正値遅延部２３）
補正値遅延部２３は、補正量算出部２２から出力される信頼性情報Ｔｒｓｔ（ｎ）および予測値Ｅｓｔ（ｎ）を保存（記憶）しておくものであり、動きベクトルｍｖの大きさの遅延素子として機能している。
【００４９】
図６は、この補正値遅延部２３の詳細構成を表すものである。補正値遅延部２３は、２つのｍｖ遅延素子２３１，２３２を有している。
【００５０】
ｍｖ遅延素子２３１は、予測値Ｅｓｔ（ｎ）と動きベクトルｍｖとに基づいて、ｍｖの値に対応する画素分だけ遅延させた画素位置に対応する予測値Ｅｓｔ（ｎ−ｍｖ）を生成するものである。ｍｖ遅延素子２３２は、信頼性情報Ｔｒｓｔ（ｎ）と動きベクトルｍｖとに基づいて、ｍｖの値に対応する画素分だけ遅延させた画素位置に対応する信頼性情報Ｔｒｓｔ（ｎ−ｍｖ）を生成するものである。
【００５１】
［表示装置１の作用・効果］
次に、表示装置１の作用および効果について説明する。
【００５２】
（基本動作）
この表示装置１では、図１に示したように、まず、ＩＰ変換部１１において、入力映像信号Ｄin（インタレース信号）に対してＩＰ変換を行うことにより、プログレッシブ信号からなる映像信号Ｄ１を生成する。次いで、動きベクトル検出部１２では、この映像信号Ｄ１において、各フレーム期間ごとに動きベクトルｍｖを検出する。次に、高フレームレート変換部１３では、以下説明する撮像ボケ抑制処理部２から出力される映像信号Ｄ２に対して高フレームレート変換処理を行い、映像信号Ｄ３を生成する。そして、表示駆動部１４では、この映像信号Ｄ３に基づいて表示パネル１５に対する表示駆動動作を行う。これにより、表示パネル１５では、映像信号Ｄ３に基づく映像表示が行われる。
【００５３】
（撮像ボケ抑制処理）
このとき、撮像ボケ抑制処理部２では、以下説明するような撮像ボケ抑制処理を行う。すなわち、動きベクトルｍｖを用いて、映像信号Ｄ１により構成される入力映像の各画素値をフレーム期間ごとに補正することにより、この映像信号Ｄ１に含まれる撮像ボケの抑制処理を行い、映像信号Ｄ２を生成する。
【００５４】
具体的には、まず、図２に示したように、予測値生成部２１において、動きベクトルｍｖと、映像信号Ｄ１（画素データＩＢ（ｎ））と、予測値Ｅｓｔ（ｎ−ｍｖ）とに基づいて、予測値Ｅｓｔ（ｎ）を求める。
【００５５】
次いで、補正量算出部２２では、信頼性情報算出部２２３において、画像データＩＢ（ｎ−ｍｖ／２）と予測値Ｅｓｔ（ｎ）とに基づいて、信頼性情報Ｔｒｓｔ（ｎ）を生成する。
【００５６】
そして、この補正量算出部２２では、補正値生成部２２２において、画像データＩＢ（ｎ）と、予測値Ｅｓｔ（ｎ）と、信頼性情報Ｔｒｓｔ（ｎ−ｍｖ）とに基づいて、予測値Ｅｓｔ（ｎ）および映像信号Ｄ２（出力画素データＯｕｔ（ｎ））を生成する。
【００５７】
このようにして撮像ボケ抑制処理部２では、各フレーム期間において各画素値が順次補正されていくと共に、注目画素ｎにおける補正の際に、現在のフレーム期間の入力映像内で補正済みの画素（補正済画素）における補正結果を利用して、補正処理が行われる。これにより、このような補正処理（前述の（９）式の演算処理）が、空間方向におけるＩＩＲフィルタ処理として機能するようになる。
【００５８】
以上のように本実施の形態では、撮像ボケ抑制処理部２において、各フレーム期間において各画素値を順次補正していくと共に、注目画素ｎにおける補正の際に、現在のフレーム期間の入力映像内で補正済みの画素（補正済画素）における補正結果を利用して補正処理を行うようにしたので、このような補正処理を、空間方向におけるＩＩＲフィルタ処理として機能させることができる。よって、従来よりも高い空間周波数成分を含む入力映像信号においても撮像ボケを抑制することができ、撮像ボケに起因する画質劣化をより適切に改善する（鮮明が画像を得る）ことが可能となる。
【００５９】
［第１の実施の形態の変形例］
以下、第１の実施の形態の変形例をいくつか挙げて説明する。なお、第１の実施の形態における構成要素と同一のものには同一の符号を付し、適宜説明を省略する。
【００６０】
（変形例１）
図７は、変形例１に係る撮像ボケ抑制処理部２Ａのブロック構成を表すものである。この撮像ボケ抑制処理部２Ａは、入力保存部２０と、２つの予測値生成部２１−１，２１−２と、２つの補正量算出部２２−１，２２−２と、２つの補正値遅延部２３−１，２３−２と、補正値保存部２４と、補正値混合部２５とを有している。上記第１の実施の形態で説明した撮像ボケ抑制処理部２との違いは、処理方向が互いに逆向きである２つの予測値生成部等を設けるようにした点である。すなわち、補正済画素における補正結果を互いに異なる複数の補正済画素において取得すると共に、これら複数の補正結果のそれぞれを利用して得られた複数の補正値を混合することにより、注目画素ｎにおける最終的な補正値を求めている。
【００６１】
入力保存部２０は、映像信号Ｄ１（画素データＩＢ（ｎ））における所定の範囲内のデータを保存するものである。
【００６２】
予測値生成部２１−１、補正量算出部２２−１および補正値遅延部２３−１は、上記第１の実施の形態と同様の動作を行う。すなわち、予測値生成部２１−１において、動きベクトルｍｖと、映像信号Ｄ１（画素データＩＢ（ｎ））と、補正値遅延部２３−１から出力される予測値Ｅｓｔ（ｎ＋ｍｖ）とに基づいて、予測値Ｅｓｔ１（ｎ）を求める。補正量算出部２２−１では、画素データＩＢ（ｎ）から求められる画像データＩＢ（ｎ＋ｍｖ／２）と、予測値Ｅｓｔ１（ｎ）とに基づいて、信頼性情報Ｔｒｓｔ１（ｎ）を生成する。また、補正量算出部２２−１では、画像データＩＢ（ｎ）と、予測値Ｅｓｔ１（ｎ）と、補正値遅延部２３−１から出力される信頼性情報Ｔｒｓｔ１（ｎ＋ｍｖ）とに基づいて、予測値Ｅｓｔ１（ｎ）および出力画素データＯｕｔ１（ｎ）を生成する。
【００６３】
予測値生成部２１−２、補正量算出部２２−２および補正値遅延部２３−２も、上記第１の実施の形態と同様の動作を行う。すなわち、予測値生成部２１−２において、動きベクトルｍｖと、映像信号Ｄ１（画素データＩＢ（ｎ））と、補正値遅延部２３−２から出力される予測値Ｅｓｔ（ｎ−ｍｖ）とに基づいて、予測値Ｅｓｔ２（ｎ）を求める。補正量算出部２２−２では、画素データＩＢ（ｎ）から求められる画像データＩＢ（ｎ−ｍｖ／２）と、予測値Ｅｓｔ２（ｎ）とに基づいて、信頼性情報Ｔｒｓｔ２（ｎ）を生成する。また、補正量算出部２２−２では、画像データＩＢ（ｎ）と、予測値Ｅｓｔ２（ｎ）と、補正値遅延部２３−２から出力される信頼性情報Ｔｒｓｔ２（ｎ−ｍｖ）とに基づいて、予測値Ｅｓｔ２（ｎ）および出力画素データＯｕｔ２（ｎ）を生成する。
【００６４】
なお、図８は、ステップ画像に撮像ボケを加えてなる画像データＩＢ（ｎ），ＩＢ（ｎ−ｍｖ／２），ＩＢ（ｎ＋ｍｖ／２）と、予測値Ｅｓｔ（ｎ），Ｅｓｔ（ｎ−ｍｖ／２），Ｅｓｔ（ｎ＋ｍｖ／２）との位相関係を示している。
【００６５】
補正値保存部２４は、補正量算出部２２−１から出力される予測値Ｅｓｔ１（ｎ）および出力画素データＯｕｔ１（ｎ）を保存するものである。
【００６６】
補正値混合部２５は、補正値保存部または補正量算出部２２−２から出力される信頼性情報Ｔｒｓｔ１（ｎ），Ｔｒｓｔ２（ｎ）の値の比率に応じて、これらから出力される２つの補正値（出力画素データＯｕｔ１（ｎ），Ｏｕｔ２（ｎ）の値）を混合するものである。具体的には、例えば図９に示したように、（Ｔｒｓｔ１（ｎ）−Ｔｒｓｔ２（ｎ））の値に応じて、Ｏｕｔ（ｎ）＝Ａ１×Ｏｕｔ１（ｎ）＋Ａ２×Ｏｕｔ２（ｎ）の式中の係数Ａ１，Ａ２の値の比率を変化させつつ、最終的な出力画素データＯｕｔ（ｎ）を生成する。
【００６７】
以上のように本変形例では、処理方向が互いに逆向きである２つの予測値生成部２１−１，２１−２等を設けるようにしたので、予測値の確からしさを高める方法として、複数の予測値からより確からしさの高い予測値を求めることが可能となる。
【００６８】
また、補正値混合部２５において、それぞれの予測値を信頼性の程度の比率に応じて混合するようにしたので、さらに信頼性の高い予測値を求めることが可能となる。
【００６９】
（変形例２）
図１０は、変形例２に係る撮像ボケ抑制処理部２Ｂのブロック構成を表すものである。この撮像ボケ抑制処理部２Ｂは、予測値生成部２１Ｂと、補正量算出部２２Ｂと、補正値遅延部２３とを有している。上記第１の実施の形態との違いは、遅延素子を多段に組み合わせることにより、上記変形例１とは異なり処理方向は１方向であるものの、複数の予測値を求めるようにした点である。
【００７０】
予測値生成部２１Ｂは、動きベクトルｍｖと、映像信号Ｄ１（画素データＩＢ（ｎ））と、補正値遅延部２３から出力される予測値Ｅｓｔ（ｎ−ｍｖ）とに基づいて、２つの予測値Ｅｓｔ（ｎ）（Ｅｓｔｂ，Ｅｓｔｆ）を求めるものである。
【００７１】
図１１は、この予測値生成部２１Ｂの詳細構成を表すものである。予測値生成部２１Ｂは、２つの生成部２６，２７を有している。
【００７２】
生成部２６は、予測値Ｅｓｔｂを生成するものであり、（１／２）ｍｖ遅延素子２６１と、微分回路２６３と、乗算器２６４と、加算器２６５とを有している。具体的には、（１／２）ｍｖ遅延素子２６１は、画像データＩＢ（ｎ）と動きベクトルｍｖとに基づいて、ｍｖ／２の値に対応する画素分だけ遅延させた画素位置に対応する画像データＩＢ（ｎ−ｍｖ／２）を生成するものである。微分回路２６３は、（１／２）ｍｖ遅延素子２６１から出力される画像データＩＢ（ｎ−ｍｖ／２）に基づいて微分演算を行うことにより、順次補正方向の画素微分値ＩＢ'（ｎ−ｍｖ／２）を生成するものである。乗算器２６４は、微分回路２６３から出力される画素微分値ＩＢ'（ｎ−ｍｖ／２）と、動きベクトルｍｖとを乗算するものである。加算器２６５は、この乗算器２６４での乗算値と、予測値Ｅｓｔ（ｎ−ｍｖ）とを加算することにより、予測値Ｅｓｔｂを生成するものである。
【００７３】
生成部２７は、予測値Ｅｓｔｆを生成するものであり、ｍｖ遅延素子２７１と、２ｍｖ遅延素子２７２と、微分回路２７３と、乗算器２７４と、加算器２７５とを有している。具体的には、ｍｖ遅延素子２７１は、（１／２）ｍｖ遅延素子２６１から出力される画像データＩＢ（ｎ−ｍｖ／２）と、動きベクトルｍｖとに基づいて、ｍｖの値に対応する画素分だけ遅延させた画素位置に対応する画像データＩＢ（ｎ＋ｍｖ／２）を生成するものである。２ｍｖ遅延素子２７２は、予測値Ｅｓｔ（ｎ−ｍｖ）と、動きベクトルｍｖとに基づいて、２ｍｖの値に対応する画素分だけ遅延させた画素位置に対応する予測値Ｅｓｔ（ｎ＋ｍｖ／２）を生成するものである。微分回路２７３は、ｍｖ遅延素子２７１から出力される画像データＩＢ（ｎ＋ｍｖ／２）に基づいて微分演算を行うことにより、順次補正方向の画素微分値ＩＢ'（ｎ＋ｍｖ／２）を生成するものである。乗算器２７４は、微分回路２７３から出力される画素微分値ＩＢ'（ｎ＋ｍｖ／２）と、動きベクトルｍｖとを乗算するものである。加算器２７５は、この乗算器２７４での乗算値のマイナス（−）値と、予測値Ｅｓｔ（ｎ＋ｍｖ／２）とを加算することにより、予測値Ｅｓｔｆを生成するものである。
【００７４】
補正量算出部２２Ｂは、画素データＩＢ（ｎ）と、動きベクトルｍｖと、予測値生成部２１Ｂから出力される２つの予測値Ｅｓｔｂ，Ｅｓｔｆとに基づいて、予測値Ｅｓｔ（ｎ）、出力画素データＯｕｔ（ｎ）および信頼性情報Ｔｒｓｔ（ｎ）を生成するものである。
【００７５】
図１２は、この補正量算出部２２Ｂの詳細構成を表すものである。補正量算出部２２Ｂは、２つの２ｍｖ遅延素子２８１，２８２と、（３／２）ｍｖ遅延素子２８３と、ｍｖ遅延素子２８４と、補正値生成部２８５と、２つの信頼性情報算出部２８６，２８７と、信頼性情報合算部２８８とを有している。
【００７６】
２ｍｖ遅延素子２８１は、画像データＩＢ（ｎ）と動きベクトルｍｖとに基づいて、２ｍｖの値に対応する画素分だけ遅延させた画素位置に対応する画像データＩＢ（ｎ−２ｍｖ／２）を生成するものである。２ｍｖ遅延素子２８２は、信頼性情報Ｔｒｓｔ（ｎ−ｍｖ）と動きベクトルｍｖとに基づいて、２ｍｖの値に対応する画素分だけ遅延させた画素位置に対応する信頼性情報Ｔｒｓｔ（ｎ−２ｍｖ）を生成するものである。（３／２）ｍｖ遅延素子２８３は、画像データＩＢ（ｎ）と動きベクトルｍｖとに基づいて、（３／２）ｍｖの値に対応する画素分だけ遅延させた画素位置に対応する画像データＩＢ（ｎ−３ｍｖ／２）を生成するものである。ｍｖ遅延素子２８４は、（３／２）ｍｖ遅延素子２８３から出力される画像データＩＢ（ｎ−３ｍｖ／２）と、動きベクトルｍｖとに基づいて、ｍｖの値に対応する画素分だけ遅延させた画素位置に対応する画像データＩＢ（ｎ−ｍｖ／２）を生成するものである。
【００７７】
補正値算出部２８５は、出力画素データＯｕｔ（ｎ）および予測値Ｅｓｔ（ｎ）を生成するものである。具体的には、２つの予測値Ｅｓｔｂ，Ｅｓｔｆと、２ｍｖ遅延素子２８１から出力される画像データＩＢ（ｎ−２ｍｖ／２）と、信頼性情報Ｔｒｓｔ（ｎ−ｍｖ）と、２ｍｖ遅延素子２８２から出力される信頼性情報Ｔｒｓｔ（ｎ−２ｍｖ）とに基づいて生成する。
【００７８】
信頼性情報算出部２８６は、予測値Ｅｓｔｂと、（３／２）ｍｖ遅延素子２８３から出力される画像データＩＢ（ｎ−３ｍｖ／２）とに基づいて、信頼性情報Ｔｒｓｔ１（ｎ）（＝α１（ｎ））を生成するものである。信頼性情報算出部２８７は、予測値Ｅｓｔｆと、ｍｖ遅延素子２８４から出力される画像データＩＢ（ｎ−ｍｖ／２）とに基づいて、信頼性情報Ｔｒｓｔ２（ｎ）（＝α２（ｎ））を生成するものである。
【００７９】
信頼性情報合算部２８８は、信頼性情報算出部２８６，２８７から出力される信頼性情報Ｔｒｓｔ１（ｎ），Ｔｒｓｔ２（ｎ）の値の比率に応じて、これら２つの信頼性情報の値を混合することにより、最終的な信頼性情報Ｔｒｓｔ（ｎ）を生成するものである。具体的には、例えば図１３に示したように、（Ｔｒｓｔ１（ｎ）−Ｔｒｓｔ２（ｎ））の値に応じて、Ｔｒｓｔ（ｎ）＝Ｂ１×Ｔｒｓｔ１（ｎ）＋Ｂ２×Ｔｒｓｔ２（ｎ）の式中の係数Ｂ１，Ｂ２の値の比率を変化させ、信頼性情報Ｔｒｓｔ（ｎ）を生成する。
【００８０】
以上のように本変形例では、遅延素子を多段に組み合わせることによって複数の予測値を求めるようにしたので、上記変形例１と同様に、予測値の確からしさを高める方法として、複数の予測値からより確からしさの高い予測値を求めることが可能となる。
【００８１】
また、信頼性情報混合部２８８において、２つの信頼性情報をそれらの値の比率に応じて混合するようにしたので、信頼性の高い信頼性情報を求めることが可能となる。
【００８２】
＜２．第２の実施の形態＞
［撮像ボケ抑制処理部３の構成］
図１４は、第２の実施の形態に係る撮像ボケ抑制処理部３のブロック構成を表すものである。この撮像ボケ抑制処理部３は、入力位相補正部３０と、予測値生成部３１と、補正量算出部３２と、補正値遅延部３３とを有している。
【００８３】
（入力位相補正部３０）
入力位相補正部３０は、映像信号Ｄ１（画素データＩＢ（ｎ，ｔ）；ｔはｔ番目のフレーム期間を示す）と動きベクトルｍｖとに基づいて、画素データＩＢ（ｎ＋ｎｃ，ｔ）を生成するものである。この画素データＩＢ（ｎ＋ｎｃ，ｔ）は、画素データＩＢ（ｎ，ｔ）に対し、位相補正値ｎｃの分だけ位相補正を施した画素データに対応するものである。なお、このような位相補正を行うのは以下の理由によるものである。すなわち、まず、撮像ボケを含む伴う画素データＩＢ（ｎ，ｔ）は、撮像ボケを取り除いた場合と比較して位相変化を伴っている。また、そのような位相変化は、画素データＩＢ（ｎ，ｔ）に対する補正量が大きい場合に大きくなる。そのため、位相補正値ｎｃは、そのような位相変化によるずれ量を軽減するためのパラメータである。
【００８４】
（予測値生成部３１）
予測値生成部３１は、動きベクトルｍｖと、画素データＩＢ（ｎ，ｔ）と、後述する補正値遅延部３３から出力される予測値Ｅｓｔ（ｎ，ｔ−１）とに基づいて、現在のフレーム期間ｔにおける注目画素ｎでの補正値の予測値Ｅｓｔ（ｎ，ｔ）を求めるものである。
【００８５】
図１５は、この予測値生成部３１の詳細構成を表すものである。予測値生成部３１は、移動方向微分回路３１２と、乗算器３１３と、加算器３１４とを有している。
【００８６】
移動方向微分回路３１２は、画像データＩＢ（ｎ，ｔ）と動きベクトルｍｖとに基づいて、前述した（２），（３）式と同様に、以下の（１６），（１７）式により表される所定の微分演算を行うものである。これにより、順次補正方向（移動方向）の画素微分値ＩＢ'（ｎ，ｔ）が生成されるようになっている。
【００８７】
【数６】
2010268225.tif 000008
【００８８】
乗算器３１３は、移動方向微分回路３１２から出力される画素微分値ＩＢ'（ｎ，ｔ）と、動きベクトルｍｖとを乗算するものである。加算器３１４は、この乗算器３１３での乗算値のマイナス（−）値と、現在の１つ前（直前）のフレーム期間（ｔ−１）における予測値Ｅｓｔ（ｎ，ｔ−１）とを加算することにより、現在のフレーム期間ｔにおける予測値Ｅｓｔ（ｎ，ｔ）を生成するものである。
【００８９】
ここで、具体的には、これらの演算は、以下の式により表すことができる。まず、上記（１７）式を書き換えると、以下の（１８）式が得られる。また、この（１８）式により、撮像ボケのない画像（画像データの推定値；予測値Ｅｓｔ（ｎ，ｔ））は、注目画素ｎから動きベクトルｍｖの分だけ離れた位置における画素が撮像ボケのないものである場合には、以下のようにして求めることができる。すなわち、まず、（１８）式において、フレーム間情報を用いた形に式を置き換えると、以下の（１９）式が得られる。したがって、この（１９）式により、予測値Ｅｓｔ（ｎ，ｔ）を求めるための以下の（２０）式が得られる。この（２０）式は、現在の１つ前（直前）のフレーム期間（ｔ−１）における予測値Ｅｓｔ（ｎ，ｔ−１）を用いて現在のフレーム期間ｔにおける予測値Ｅｓｔ（ｎ，ｔ）を求めている。これに対し、現在の１つ後のフレーム期間（ｔ＋１）における予測値Ｅｓｔ（ｎ，ｔ＋１）を用いて、現在のフレーム期間ｔにおける予測値Ｅｓｔ（ｎ，ｔ）を求めることも可能である。具体的には、１フレーム期間後においても同じ直線移動していると仮定すると、１フレーム期間後の画素位置の情報は、１フレーム期間前の画素位置の情報から２ｍｖの分だけ移動したこととなる。したがって、以下の（２１）式により、現在の１つ後のフレーム期間（ｔ＋１）における予測値Ｅｓｔ（ｎ，ｔ＋１）を用いて、現在のフレーム期間ｔにおける予測値Ｅｓｔ（ｎ，ｔ）を求めることができる。
【００９０】
【数７】
2010268225.tif 000009
【００９１】
（補正量算出部３２）
補正量算出部３２は、画素データＩＢ（ｎ，ｔ）と、入力位相補正部３０から出力される画素データＩＢ（ｎ＋ｎｃ，ｔ）と、予測値生成部２１から出力される予測値Ｅｓｔ（ｎ）と、後述する補正値遅延部３３から出力される信頼性情報Ｔｒｓｔ（ｎ，ｔ−１）とに基づいて、補正量を求めるものである。具体的には、信頼性情報Ｔｒｓｔ（ｎ，ｔ）および予測値Ｅｓｔ（ｎ，ｔ）を補正値遅延部３３へ出力すると共に、映像信号Ｄ２（出力画素データＯｕｔ（ｎ，ｔ））を出力するようになっている。
【００９２】
図１６は、この補正量算出部３２の詳細構成を表すものである。補正量算出部３２は、補正値生成部３２２と、信頼性情報算出部３２３とを有している。
【００９３】
補正値生成部３２２は、画像データＩＢ（ｎ＋ｎｃ，ｔ）と、予測値Ｅｓｔ（ｎ，ｔ）と、信頼性情報Ｔｒｓｔ（ｎ，ｔ−１）とに基づいて、以下の（２２）式を用いることにより、予測値Ｅｓｔ（ｎ，ｔ）および出力画素データＯｕｔ（ｎ，ｔ）を生成するものである。この（２２）式により表される演算処理は、いわゆるＩＩＲフィルタの構成となっている。なお、この（２２）式において、αは更新係数であり、０から１の値を取りうると共に、この更新係数αの値は適応的に変えるべきものである。また、（２２）式により、この更新係数αを用いて、注目画素ｎにおける補正処理の大きさが制御されていることが分かる。
【００９４】
信頼性情報算出部３２３は、画像データＩＢ（ｎ，ｔ）と、予測値Ｅｓｔ（ｎ，ｔ）とに基づいて、以下の（２３），（２４）式を用いることにより、信頼性情報Ｔｒｓｔ（ｎ，ｔ）（＝α（ｎ，ｔ））を生成するものである。
【００９５】
具体的には、この信頼性情報Ｔｒｓｔ（ｎ，ｔ）は以下のようにして求められる。まず、予測値Ｅｓｔ（ｎ，ｔ）の確からしさは、注目画素ｎにおける直前のフレーム期間（ｔ−１）での補正処理結果に依存する。このため、この直前のフレーム期間における、補正処理結果（補正値）と撮像ボケを含む元の画素値との差分値が小さいほど、確からしさが大きいと考えられる。したがって、この予測値Ｅｓｔ（ｎ，ｔ）の確からしさは、例えば、直前のフレーム期間での補正量をΔとすると、信頼性情報Ｔｒｓｔ（ｎ，ｔ−１）を、この補正量Δの関数Ｆ（Δ）で表すことができ、これを上記した更新係数αとすることができる。よって、信頼性情報Ｔｒｓｔ（ｎ，ｔ−１）（＝α（ｎ，ｔ−１））は、以下の（２３），（２４）式により表される。なお、この関数Ｆ（Δ）は、補正量Δに関して単調に減少する関数で表され、例えば（１−Δ）である。
【００９６】
【数８】
2010268225.tif 000010
【００９７】
また、信頼性情報Ｔｒｓｔ（ｎ，ｔ−１）の値が大きい（高い）場合には、補正処理結果としての予測値Ｅｓｔ（ｎ，ｔ）の確からしさも高くなる。そのため、信頼性情報Ｔｒｓｔ（ｎ，ｔ）については、信頼性情報Ｔｒｓｔ（ｎ，ｔ−１）と同等の確からしさを設定することができる。すなわち、以下の（２５），（２６）式で表すことができる。
【００９８】
【数９】
2010268225.tif 000011
【００９９】
更に、更新係数αがフレームごとに大きく変動した場合、動画像においてチラつきとして認識されることがある。したがって、これを軽減するために、所定の２つの定数ｋ１，ｋ２を設定して、以下の（２７），（２８）式で表すこともできる。
【０１００】
【数１０】
2010268225.tif 000012
【０１０１】
加えて、ノイズを含む画像では、信頼性情報Ｔｒｓｔ（ｎ，ｔ）にも影響を与える。したがって、フレーム期間内の周辺画素とで適当なＬＰＦ処理を施すことも有効である。さらに、ノイズ成分によって補正量Δが大きくなり、必要以上に信頼性情報Ｔｒｓｔ（ｎ，ｔ）の値を小さく見積もってしまう可能性がある。そのため、ノイズ成分を検出し、ノイズ成分に応じて補正量Δの値をゲイン制御するようにしてもよい。
【０１０２】
（補正値遅延部３３）
補正値遅延部３３は、補正量算出部３２から出力される信頼性情報Ｔｒｓｔ（ｎ，ｔ）および予測値Ｅｓｔ（ｎ，ｔ）を保存（記憶）しておくものであり、１フレーム期間の遅延素子として機能している。
【０１０３】
図１７は、この補正値遅延部３３の詳細構成を表すものである。補正値遅延部３３は、２つのフレームメモリ３３１，３３２を有している。
【０１０４】
フレームメモリ３３１は、予測値Ｅｓｔ（ｎ，ｔ）に基づいて、１フレーム期間分だけ遅延させた予測値Ｅｓｔ（ｎ，ｔ−１）を生成するものである。フレームメモリ３３２は、信頼性情報Ｔｒｓｔ（ｎ）に基づいて、１フレーム期間分だけ遅延させた信頼性情報Ｔｒｓｔ（ｎ，ｔ−１）を生成するものである。
【０１０５】
［撮像ボケ抑制処理部３の作用・効果］
次に、撮像ボケ抑制処理部３の作用および効果について説明する。なお、表示装置全体の作用（基本動作）については、上記第１の実施の形態の表示装置１と同様であるため、説明を省略する。
【０１０６】
（撮像ボケ抑制処理）
この撮像ボケ抑制処理部３では、まず、入力位相補正部３０において、画素データＩＢ（ｎ，ｔ）と動きベクトルｍｖとに基づいて、画素データＩＢ（ｎ，ｔ）に対して位相補正値ｎｃの分だけ位相補正を施してなる画素データＩＢ（ｎ＋ｎｃ，ｔ）を生成する。
【０１０７】
次に、予測値生成部３１では、動きベクトルｍｖと、画素データＩＢ（ｎ，ｔ）と、直前のフレーム期間（ｔ−１）における予測値Ｅｓｔ（ｎ，ｔ−１）とに基づいて、現在のフレーム期間ｔにおける予測値Ｅｓｔ（ｎ，ｔ）を求める。
【０１０８】
次いで、補正量算出部３２では、信頼性情報算出部３２３において、画像データＩＢ（ｎ，ｔ）と、予測値Ｅｓｔ（ｎ，ｔ）とに基づいて、信頼性情報Ｔｒｓｔ（ｎ，ｔ）を生成する。
【０１０９】
そして、この補正量算出部３２では、補正値生成部２２２において、画像データＩＢ（ｎ＋ｎｃ，ｔ）と、予測値Ｅｓｔ（ｎ，ｔ）と、信頼性情報Ｔｒｓｔ（ｎ，ｔ−１）とに基づいて、予測値Ｅｓｔ（ｎ，ｔ）および出力画素データＯｕｔ（ｎ，ｔ）を生成する。
【０１１０】
このようにして撮像ボケ抑制処理部３では、各フレーム期間における注目画素ｎの補正の際に、その直前のフレーム期間において補正済みの同一画素（補正済画素）における補正結果を利用して、補正処理が行われる。これにより、このような補正処理（前述の（２２）式の演算処理）が、時間方向におけるＩＩＲフィルタ処理として機能するようになる。
【０１１１】
以上のように本実施の形態では、撮像ボケ抑制処理部３において、各フレーム期間における注目画素ｎの補正の際に、その直前のフレーム期間において補正済みの同一画素（補正済画素）における補正結果を利用して補正処理を行うようにしたので、このような補正処理を、時間方向におけるＩＩＲフィルタ処理として機能させることができる。よって、従来よりも高い空間周波数成分を含む入力映像信号においても撮像ボケを抑制することができ、撮像ボケに起因する画質劣化をより適切に改善する（鮮明が画像を得る）ことが可能となる。
【０１１２】
［第２の実施の形態の変形例］
以下、第２の実施の形態の変形例をいくつか挙げて説明する。なお、第２の実施の形態における構成要素と同一のものには同一の符号を付し、適宜説明を省略する。
【０１１３】
（変形例３）
図１８は、変形例３に係る撮像ボケ抑制処理部３Ａのブロック構成を表すものである。この撮像ボケ抑制処理部３Ａは、入力位相補正３０Ａと、２つの予測値生成部３１−１，３１−２と、補正量算出部３２Ａと、補正値遅延部３３と、補正値位相変換部３４とを有している。上記第２の実施の形態との違いは、１フレーム期間後における情報からも予測値を求め、予測値の確からしさを改善している点にある。すなわち、補正済画素における補正結果を、互いに異なる複数のフレーム期間における補正済画素から取得すると共に、これら複数の補正結果のそれぞれを利用して得られた複数の補正値を混合することにより、最終的な補正値を求めている。
【０１１４】
なお、図１９は、ステップ画像に撮像ボケを加えてなる画像データＩＢ（ｎ，ｔ），ＩＢ（ｎ−ｍｖ／２，ｔ），ＩＢ（ｎ，ｔ＋１）と、予測値Ｅｓｔ（ｎ，ｔ−１），Ｅｓｔ（ｎ，ｔ），Ｅｓｔ（ｎ，ｔ＋１）との位相関係を示している。
【０１１５】
入力位相補正部３０Ａは、画素データＩＢ（ｎ，ｔ），ＩＢ（ｎ＋１，ｔ）と動きベクトルｍｖとに基づいて、位相補正を施してなる画素データＩＢ（ｎ＋ｎｃ，ｔ）を生成するものである。
【０１１６】
予測値生成部３１−１は、動きベクトルｍｖと、画素データＩＢ（ｎ，ｔ）と、後述する補正値遅延部３３から出力される予測値Ｅｓｔ（ｎ，ｔ−１）とに基づいて、現在のフレーム期間ｔにおける予測値Ｅｓｔ１（ｎ，ｔ）を求めるものである。
【０１１７】
図２０は、この予測値生成部３１−１の詳細構成を表すものである。予測値生成部３１−１は、第２の実施の形態で説明した予測値生成部３１と同様に、移動方向微分回路３１２と、乗算器３１３と、加算器３１４とを有している。
【０１１８】
これにより、予測値生成部３１−１では、前述した（２０）式により、直前のフレーム期間（ｔ−１）における予測値Ｅｓｔ（ｎ，ｔ−１）を用いて、現在のフレーム期間ｔにおける予測値Ｅｓｔ１（ｎ，ｔ）を求めるようになっている。
【０１１９】
予測値生成部３１−２は、動きベクトルｍｖと、画素データＩＢ（ｎ，ｔ＋１）と、後述する補正値位相変換部３４から出力される予測値Ｅｓｔ（ｎ−２ｍｖ，ｔ−１）とに基づいて、現在のフレーム期間ｔにおける予測値Ｅｓｔ２（ｎ，ｔ）を求めるものである。
【０１２０】
図２１は、この予測値生成部３１−２の詳細構成を表すものである。予測値生成部３１−２は、移動方向微分回路３１２Ａと、乗算器３１３Ａと、加算器３１４Ａとを有している。
【０１２１】
移動方向微分回路３１２Ａは、画像データＩＢ（ｎ，ｔ＋１）と動きベクトルｍｖとに基づいて、前述した（１６），（１７）式と同様の所定の微分演算を行うものである。これにより、順次補正方向（移動方向）の画素微分値ＩＢ'（ｎ，ｔ＋１）が生成されるようになっている。
【０１２２】
乗算器３１３Ａは、移動方向微分回路３１２Ａから出力される画素微分値ＩＢ'（ｎ，ｔ＋１）と、動きベクトルｍｖとを乗算するものである。加算器３１４Ａは、この乗算器３１３Ａでの乗算値と、予測値Ｅｓｔ（ｎ−２ｍｖ，ｔ−１）とを加算することにより、前述した（２１）式により、現在のフレーム期間ｔにおける予測値Ｅｓｔ２（ｎ，ｔ）を生成するものである。
【０１２３】
補正量算出部３２Ａは、画素データＩＢ（ｎ，ｔ），画素データＩＢ（ｎ，ｔ＋１），ＩＢ（ｎ＋ｎｃ，ｔ）と、２つの予測値Ｅｓｔ１（ｎ），Ｅｓｔ２（ｎ）と、後述する補正値位相変換部３４から出力される２つの信頼性情報Ｔｒｓｔ１（ｎ，ｔ−１），Ｔｒｓｔ２（ｎ，ｔ−１）とに基づいて、補正量を求めるものである。具体的には、信頼性情報Ｔｒｓｔ（ｎ，ｔ）および予測値Ｅｓｔ（ｎ，ｔ）を補正値遅延部３３へ出力すると共に、出力画素データＯｕｔ（ｎ，ｔ）を出力するようになっている。
【０１２４】
図２２は、この補正量算出部３２Ａの詳細構成を表すものである。補正量算出部３２Ａは、補正値生成部３２２Ａと、２つの信頼性情報算出部３２３−１，３２３−２と、信頼性情報合算部３２４とを有している。
【０１２５】
補正値生成部３２２Ａは、画像データＩＢ（ｎ＋ｎｃ，ｔ）と、２つの予測値Ｅｓｔ１（ｎ，ｔ），Ｅｓｔ２（ｎ，ｔ）と、２つの信頼性情報Ｔｒｓｔ１（ｎ，ｔ−１），Ｔｒｓｔ２（ｎ，ｔ−１）とに基づいて、予測値Ｅｓｔ（ｎ，ｔ）および出力画素データＯｕｔ（ｎ，ｔ）を生成するものである。この際、補正値生成部３２２Ａは、信頼性情報Ｔｒｓｔ１（ｎ，ｔ−１），Ｔｒｓｔ２（ｎ，ｔ−１）の値の比率に応じて、２つの予測値Ｅｓｔ１（ｎ，ｔ），Ｅｓｔ２（ｎ，ｔ）を混合するようになっている。具体的には、例えば図２３に示したように、（Ｔｒｓｔ１（ｎ，ｔ−１）−Ｔｒｓｔ２（ｎ，ｔ−１））の値に応じて、Ｅｓｔ（ｎ，ｔ）（Ｏｕｔ（ｎ，ｔ））＝Ｃ１×Ｅｓｔ１（ｎ，ｔ）＋Ｃ２×Ｅｓｔ２（ｎ，ｔ）の式中の係数Ｃ１，Ｃ２の値の比率を変化させつつ、最終的な出力画素データＯｕｔ（ｎ，ｔ）を生成する。
【０１２６】
信頼性情報算出部３２３−１は、画像データＩＢ（ｎ，ｔ）と、予測値Ｅｓｔ１（ｎ，ｔ）とに基づいて、前述の（２３），（２４）式を用いることにより、信頼性情報Ｔｒｓｔ１（ｎ，ｔ）（＝α１（ｎ，ｔ））を生成するものである。信頼性情報算出部３２３−２は、画像データＩＢ（ｎ＋１，ｔ）と、予測値Ｅｓｔ２（ｎ，ｔ）とに基づいて、前述の（２３），（２４）式を用いることにより、信頼性情報Ｔｒｓｔ２（ｎ，ｔ）（＝α２（ｎ，ｔ））を生成するものである。
【０１２７】
信頼性情報合算部３２４は、信頼性情報算出部３２３−１，３２３−２から出力される信頼性情報Ｔｒｓｔ１（ｎ，ｔ），Ｔｒｓｔ２（ｎ，ｔ）の値の比率に応じて、これら２つの信頼性情報の値を混合することにより、最終的な信頼性情報Ｔｒｓｔ（ｎ，ｔ）を生成するものである。具体的には、例えば図２４に示したように、（Ｔｒｓｔ１（ｎ，ｔ）−Ｔｒｓｔ２（ｎ，ｔ））の値に応じて、Ｔｒｓｔ（ｎ，ｔ）＝Ｄ１×Ｔｒｓｔ１（ｎ，ｔ）＋Ｄ２×Ｔｒｓｔ２（ｎ，ｔ）の式中の係数Ｄ１，Ｄ２の値の比率を変化させ、信頼性情報Ｔｒｓｔ（ｎ，ｔ）を生成する。
【０１２８】
補正値位相変換部３４は、動きベクトルｍｖと、補正値遅延部３３から出力される予測値Ｅｓｔ（ｎ，ｔ−１）とに基づいて、前述した（２１）式中に示される予測値Ｅｓｔ（ｎ−２ｍｖ，ｔ−１）を求めるものである。この補正値位相変換部３４はまた、動きベクトルｍｖと、補正値遅延部３３から出力される信頼性情報Ｔｒｓｔ（ｎ，ｔ−１）とに基づいて、２つの信頼性情報Ｔｒｓｔ１（ｎ，ｔ），Ｔｒｓｔ２（ｎ，ｔ）を生成している。
【０１２９】
図２５は、この補正値位相変換部３４の詳細構成を表すものである。補正値位相変換部３４は、補正値水平垂直シフト部３４１と、信頼性情報水平垂直シフト部３４２とを有している。
【０１３０】
補正値水平垂直シフト部３４１は、動きベクトルｍｖと予測値Ｅｓｔ（ｎ，ｔ−１）とに基づいて、予測値Ｅｓｔ（ｎ−２ｍｖ，ｔ−１）を求めるものである。
【０１３１】
信頼性情報水平垂直シフト部３４２は、動きベクトルｍｖと信頼性情報Ｔｒｓｔ（ｎ，ｔ−１）とに基づいて、２つの信頼性情報Ｔｒｓｔ１（ｎ，ｔ），Ｔｒｓｔ２（ｎ，ｔ）を生成するものである。
【０１３２】
以上のように本変形例では、補正済画素における補正結果を互いに異なる複数のフレーム期間における補正済画素から取得すると共に、これら複数の補正結果のそれぞれを利用して得られた複数の補正値を混合して最終的な補正値を求めるようにしたので、補正値（予測値）の確からしさを改善することが可能となる。
【０１３３】
（変形例４）
図２６は、変形例４に係る撮像ボケ抑制処理部３Ｂのブロック構成を表すものである。この撮像ボケ抑制処理部３Ｂは、入力位相補正３０Ａと、２つの予測値生成部３１−１，３１−２と、補正量算出部３２Ａと、補正値遅延部３３と、高フレームレート変換部３５とを有している。
【０１３４】
すなわち、撮像ボケ抑制処理部３Ｂは、変形例２において説明した撮像ボケ抑制処理部３Ａにおいて、補正値位相変換部３４の代わりに高フレームレート変換部３５を設けるようにしたものである。言い換えると、本変形例の表示装置では、図１において説明した高フレームレート変換部１３を設ける代わりに、撮像ボケ抑制処理部３Ｂ内において、高フレームレート変換部３５を一体化して設けるようになっている。
【０１３５】
高フレームレート変換部３５は、動きベクトルｍｖと、補正量算出部３２Ａから出力される映像信号Ｄ２（出力画素データＯｕｔ（ｎ，ｔ））とに基づいて、補間画像に対応する映像信号Ｄ３を生成するものである。
【０１３６】
図２７は、この高フレームレート変換部３５の詳細構成を表すものである。高フレームレート変換部３５は、水平垂直シフト量算出部３５１と、補間画像生成部３５２と、信頼性情報水平垂直シフト部３５４と、セレクタ部３５３とを有している。
【０１３７】
水平垂直シフト量算出部３５１は、動きベクトルｍｖに基づいて、補間位置に相当する画像シフト量を算出するものである。
【０１３８】
補間画像生成部３５２は、水平垂直シフト量算出部３５１により得られた画像シフト量をアドレス値として、図示しないメモリ領域から読み出すことにより、出力画素データＯｕｔ（ｎ，ｔ）に基づいて補間画像を生成するものである。この補間画像生成部３５２はまた、補正値遅延部３３から出力される出力画素データＯｕｔ（ｎ，ｔ）に基づいて、図示しないメモリ領域から２ｍｖシフトしたアドレス値の画像を読み出すことにより、２ｍｖ位置の画像を生成するようになっている。
【０１３９】
信頼性情報水平垂直シフト部３５４は、図示しないメモリ領域から、信頼性情報Ｔｒｓｔ（ｎ，ｔ−１）を２ｍｖシフトしたアドレス値の情報を読み出すものである。これにより、２つの信頼性情報Ｔｒｓｔ１（ｎ，ｔ−１），Ｔｒｓｔ２（ｎ，ｔ−１）がそれぞれ、信頼性情報水平垂直シフト部３５４から出力されるようになっている。
【０１４０】
セレクタ部３５３は、補間画像生成部３５２から出力される補間画像と、現在のフレームの出力画素データＯｕｔ（ｎ，ｔ）に対応する画像とを、高いフレームレートで切り換えることにより、映像信号Ｄ３として出力するものである。このセレクタ部３５３はまた、１フレーム後に相当する予測値Ｅｓｔ（ｎ−２ｍｖ,ｔ−１）を出力し、予測値生成部３１−２へ供給するようになっている。
【０１４１】
以上のように本変形例では、撮像ボケ抑制処理部３Ｂ内において、高フレームレート変換部３５を一体化して設けるようにしたので、表示装置全体としての構成を簡略化することが可能となる。
【０１４２】
（変形例５）
図２８は、変形例５に係る撮像ボケ抑制処理部３Ｃのブロック構成を表すものである。この撮像ボケ抑制処理部３Ｃは、入力位相補正３０Ａと、２つの予測値生成部３１−１，３１−２と、補正量算出ＩＰ変換部３６と、補正値遅延部３３と、補正値位相変換部３４とを有している。
【０１４３】
すなわち、撮像ボケ抑制処理部３Ｃは、変形例２において説明した撮像ボケ抑制処理部３Ａにおいて、補正量算出部３２の代わりに補正量算出ＩＰ変換部３６を設けるようにしたものである。言い換えると、本変形例の表示装置では、図１において説明したＩＰ変換部１１を設ける代わりに、撮像ボケ抑制処理部３Ｃ内において、補正量算出部とＩＰ変換部とを一体化して設けるようになっている。
【０１４４】
補正量算出ＩＰ変換部３６は、画素データＩＢ（ｎ，ｔ），画素データＩＢ（ｎ，ｔ＋１），ＩＢ（ｎ＋ｎｃ，ｔ）と、予測値Ｅｓｔ１（ｎ），Ｅｓｔ２（ｎ）と、信頼性情報Ｔｒｓｔ（ｎ，ｔ−１），Ｔｒｓｔ１（ｎ，ｔ−１），Ｔｒｓｔ２（ｎ，ｔ−１）とに基づいて、補正量を求めるものである。具体的には、信頼性情報Ｔｒｓｔ（ｎ，ｔ）および予測値Ｅｓｔ（ｎ，ｔ）を補正値遅延部３３へ出力すると共に、出力画素データＯｕｔ（ｎ，ｔ）を出力するようになっている。
【０１４５】
図２９は、この補正量算出ＩＰ変換部３６の詳細構成を表すものである。補正量算出ＩＰ変換部３６は、２つのフィールド内補間部３６１−１，３６１−２と、補正値生成部３６２と、２つの信頼性情報算出部３６３−１，３６３−２と、信頼性情報合算部３６４とを有している。
【０１４６】
フィールド内補間部３６１−１は、インターレース画像に対応する予測値Ｅｓｔ１（ｎ，ｔ）の画像をフィールド内で補間することにより、プログレッシブ画像を生成するものである。フィールド内補間部３６１−２は、インターレース画像に対応する予測値Ｅｓｔ２（ｎ，ｔ）の画像をフィールド内で補間することにより、プログレッシブ画像を生成するものである。
【０１４７】
補間値生成部３６２は、生成されたプログレッシブ画像に対応する２つの予測値Ｅｓｔ１（ｎ，ｔ），Ｅｓｔ２（ｎ，ｔ）を、２つの信頼性情報Ｔｒｓｔ１（ｎ，ｔ−１），Ｔｒｓｔ２（ｎ，ｔ−１）の値に応じて混合し、補正値を生成するものである。これにより、予測値Ｅｓｔ（ｎ，ｔ）および出力画素データＯｕｔ（ｎ，ｔ）が、この補正値生成部３６２から出力されるようになっている。
【０１４８】
信頼性情報算出部３６３−１は、予測値Ｅｓｔ１（ｎ，ｔ）と画素データＩＢ（ｎ，ｔ）とに基づいて、信頼性情報Ｔｒｓｔ１（ｎ，ｔ）を算出するものである。信頼性情報算出部３６３−２は、予測値Ｅｓｔ２（ｎ，ｔ）と画素データＩＢ（ｎ，ｔ＋１）とに基づいて、信頼性情報Ｔｒｓｔ２（ｎ，ｔ）を算出するするものである。
【０１４９】
信頼性情報合算部３６４は、信頼性情報算出部３６３−１から出力される信頼性情報Ｔｒｓｔ１（ｎ，ｔ）の値と、信頼性情報算出部３６３−２から出力される信頼性情報Ｔｒｓｔ２（ｎ，ｔ）の値とに基づいて、信頼性情報の合算を行うものである。これにより、処理画素における信頼性情報Ｔｒｓｔ（ｎ，ｔ）が算出され、出力されるようになっている。
【０１５０】
以上のように本変形例では、撮像ボケ抑制処理部３Ｃ内において、補正量算出部とＩＰ変換部とを一体化して設けるようにしたので、表示装置全体としての構成を簡略化することが可能となる。
【０１５１】
（その他の変形例）
以上、いくつかの実施の形態および変形例を挙げて本発明を説明したが、本発明はこれらの実施の形態等に限定されず、種々の変形が可能である。
【０１５２】
例えば、上記実施の形態等では、撮像ボケの特性を示す特性値の一例として動きベクトルｍｖを用いる場合について説明したが、他の特性値を用いるようにしてもよい。具体的には、例えば、撮影装置のシャッタ速度を特性値として用いるようにしてもよい。例えばシャッタ開放時間が５０％である場合、動きベクトルｍｖの値の５０％の値を、特性値とすればよい。
【０１５３】
また、上記第１の実施の形態およびその変形例で説明した撮像ボケ抑制処理では、場合によってはノイズを強調してしまう可能性がある。したがって、これによる弊害を抑えるため、補正量算出部において、入力信号の遅延した画素位置（例えば、ｍｖ／２遅延）との差分信号振幅の関数によって補正量のゲイン制御をしたり、補正値の出力部に各種フィルタを配置するのが望ましい。このようなフィルタとしては、例えばεフィルタが有効である。同様に、上記第２の実施の形態およびその変形例で説明した撮像ボケ抑制処理では、場合によってはノイズを強調してしまう可能性がある。したがって、これによる弊害を抑えるため、補正量算出部において、入力信号のフレーム差分信号振幅の関数によって補正量のゲイン制御をしたり、補正値の出力部に各種フィルタを配置するのが望ましい。このようなフィルタとしては、例えばεフィルタが有効である。
【０１５４】
更に、上記実施の形態等において説明した撮像ボケのモデルおよび補正量の算出処理では、入力映像信号Ｄinは、撮像装置側においてγ処理がなされたデータ（カメラγ）となっている。また、撮像ボケのモデル式である（１）式は、γ処理がなされていない映像信号となっている。そのため、予測値を算出する際に、映像信号Ｄ１に対してカメラγの逆γ処理を施すと共に、補正値を出力する際に、カメラγ処理を施すようにするのが望ましい。
【０１５５】
加えて、上記実施の形態等で説明した撮像ボケ抑制処理部は、単体で用いることも可能であるし、また、図示しない他のブロック（所定の画像処理を施す他の画像処理部）と組み合わせて用いることも可能である。
【０１５６】
加えてまた、上記実施の形態等で実行される高フレームレート変換処理において、入力映像信号の第１のフレームレート（フレーム周波数）と、出力映像信号の第２のフレームレート（フレーム周波数）との組み合わせは、特に限定されず、任意の組み合わせでよい。具体的には例えば、入力映像信号の第１のフレームレートとして６０（または３０）〔Ｈｚ〕を採用し、かつ、出力映像信号の第２のフレームレートとして１２０［Ｈｚ］を採用することができる。例えば、入力映像信号の第１のフレームレートとして６０（または３０）〔Ｈｚ〕を採用し、かつ、出力映像信号の第２のフレームレートとして２４０［Ｈｚ］を採用することができる。例えば、入力映像信号の第１のフレームレートとして、ＰＡＬ（Phase Alternation by Line）方式に対応する５０〔Ｈｚ〕を採用し、かつ、出力映像信号の第２のフレームレートとして１００〔Ｈｚ〕や２００〔Ｈｚ〕を採用することができる。例えば、入力映像信号の第１のフレームレートとして、テレシネに対応する４８〔Ｈｚ〕を採用し、かつ、出力映像信号の第２のフレームレートとしてそれ以上の所定の周波数を採用することができる。
【０１５７】
加えて更に、本発明の映像信号処理装置は、上記実施の形態等で説明したような表示装置には限られず、表示装置以外の他の装置（例えば、映像信号記録装置や映像信号記録再生装置等）にも適用することが可能である。
【０１５８】
更にまた、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。図３０は、これら一連の処理を実行するプログラムがインストールされるコンピュータの一実施の形態の構成例を示している。このようなプログラムは、コンピュータ２００に内蔵されている記録媒体としてのハードディスク２０５やＲＯＭ２０３に予め記録しておくことができる。あるいはまた、プログラムは、リムーバブル記録媒体２１１に、一時的あるいは永続的に格納（記録）しておくことができる。リムーバブル記録媒体２１１としては、例えば、フレキシブルディスク、ＣＤ−ＲＯＭ（Compact Disc Read Only Memory），ＭＯ（Magneto Optical）ディスク，ＤＶＤ（Digital Versatile Disc）、磁気ディスク、半導体メモリなどが挙げられる。このようなリムーバブル記録媒体２１１は、いわゆるパッケージソフトウエアとして提供することができる。なお、プログラムは、上述したようなリムーバブル記録媒体２１１からコンピュータにインストールする他、ダウンロードサイトから、ディジタル衛星放送用の人工衛星を介して、コンピュータに無線で転送したり、ＬＡＮ（Local Area Network）、インターネットといったネットワークを介して、コンピュータに有線で転送することができる。そして、コンピュータでは、そのようにして転送されてくるプログラムを、通信部２０８で受信し、内蔵するハードディスク２０５にインストールすることができる。
【０１５９】
また、このコンピュータ２００は、ＣＰＵ２０２を内蔵している。このＣＰＵ２０２には、バス２０１を介して、入出力インタフェース２１０が接続されている。ＣＰＵ２０２は、入出力インタフェース２１０を介して、ユーザによって、キーボードや、マウス、マイク等で構成される入力部２０７が操作等されることにより指令が入力されると、それにしたがって、ＲＯＭ２０３に格納されているプログラムを実行する。あるいは、また、ＣＰＵ２０２は、ハードディスク２０５に格納されているプログラム、衛星もしくはネットワークから転送され、通信部２０８で受信されてハードディスク２０５にインストールされたプログラム、またはドライブ２０９に装着されたリムーバブル記録媒体２１１から読み出されてハードディスク２０５にインストールされたプログラムを、ＲＡＭ（Random Access Memory）２０４にロードして実行する。これにより、ＣＰＵ２０２は、上述したフローチャートにしたがった処理、あるいは上述したブロック図の構成により行われる処理を行う。そして、ＣＰＵ２０２は、その処理結果を、必要に応じて、例えば、入出力インタフェース２１０を介して、ＬＣＤやスピーカ等で構成される出力部２０６から出力、あるいは、通信部２０８から送信、さらには、ハードディスク２０５に記録等させるようになっている。
【符号の説明】
【０１６０】
１…表示装置、１１…ＩＰ変換部、１２…動きベクトル検出部、１３…高フレームレート変換部、１４…表示駆動部、１５…表示パネル、２，２Ａ，２Ｂ…撮像ボケ抑制処理部、２０…入力保存部、２１，２１−１，２１−２，２１Ｂ…予測値生成部、２２，２２−１，２２−２，２２Ｂ…補正量算出部、２３，２３−１，２３−２…補正値遅延部、２４…補正値保存部、２５…補正値混合部、３，３Ａ〜３Ｃ…撮像ボケ抑制処理部、３０，３０Ａ…入力位相補正部、３１，３１−１，３１−２…予測値生成部、３２，３２Ａ…補正量算出部、３３…補正値遅延部、３４…補正値位相変換部、３５…高フレームレート変換部、３６…補正量算出ＩＰ変換部、Ｄin，Ｄ１〜Ｄ３…映像信号、ｍｖ…動きベクトル。
【図１】
2010268225.tif 000013
【図２】
2010268225.tif 000014
【図３】
2010268225.tif 000015
【図４】
2010268225.tif 000016
【図５】
2010268225.tif 000017
【図６】
2010268225.tif 000018
【図７】
2010268225.tif 000019
【図８】
2010268225.tif 000020
【図９】
2010268225.tif 000021
【図１０】
2010268225.tif 000022
【図１１】
2010268225.tif 000023
【図１２】
2010268225.tif 000024
【図１３】
2010268225.tif 000025
【図１４】
2010268225.tif 000026
【図１５】
2010268225.tif 000027
【図１６】
2010268225.tif 000028
【図１７】
2010268225.tif 000029
【図１８】
2010268225.tif 000030
【図１９】
2010268225.tif 000031
【図２０】
2010268225.tif 000032
【図２１】
2010268225.tif 000033
【図２２】
2010268225.tif 000034
【図２３】
2010268225.tif 000035
【図２４】
2010268225.tif 000036
【図２５】
2010268225.tif 000037
【図２６】
2010268225.tif 000038
【図２７】
2010268225.tif 000039
【図２８】
2010268225.tif 000040
【図２９】
2010268225.tif 000041
【図３０】
2010268225.tif 000042